(57)【要約】【課題】プルリングを引っ張ってもプルリングが容易に破断し切断されないプルトップ型キャップを提供する。【解決手段】枠体部１と、当該枠体部１に引きちぎり部４を介して接合されている蓋体部２と、少なくとも当該蓋体部２に接合されているプルトップ部３を有する合成樹脂製のキャップにおいて、前記プルトップ部３がプルリング３ａを有し、当該プルリング３ａがその全周にわたって樹脂流れによる配向性を持たない合成樹脂で構成されており、前記引きちぎり部４の破断強さ（Ａ）に対する前記プルリング３ａの破断強さ（Ｂ）の比（Ｂ／Ａ）が１を超えていることを特徴とする。【選択図】図１
2004338724.tif 000002
【特許請求の範囲】
【請求項１】
枠体部と、当該枠体部に引きちぎり部を介して接合されている蓋体部と、少なくとも当該蓋体部に接合されているプルトップ部を有する合成樹脂製のキャップにおいて、
前記プルトップ部がプルリングを有し、当該プルリングがその全周にわたって樹脂流れによる配向性を持たない合成樹脂で構成されており、
前記引きちぎり部の破断強さ（Ａ）に対する前記プルリングの破断強さ（Ｂ）の比（Ｂ／Ａ）が１を超えていることを特徴とするプルトップ型キャップ。
【請求項２】
前記引きちぎり部が、前記枠体部と前記蓋体部との擬似溶着で接合されて構成されている請求項１記載のプルトップ型キャップ。
【請求項３】
前記引きちぎり部の接合面の破断強さが１．５〜７（Ｎ／２５ｍｍ）である請求項１又は２記載のプルトップ型キャップ。
【請求項４】
前記引きちぎり部が、前記キャップ本体部と前記プルトップ部との間に設けられた切り欠き部で構成される請求項１記載のプルトップ型キャップ。
【請求項５】
前記枠体部内にゴム又はエラストマーが嵌入されている請求項１乃至４のいずれかの項に記載されたプルトップ型キャップ。
【請求項６】
枠体部と、当該枠体部に引きちぎり部を介して接合されている蓋体部と、少なくとも当該蓋体部に接合されているプルトップ部と、前記枠体部内に設けられ、蓋体部と枠体部の各接合面に融着されたエラストマーからなる栓体とを有し、
前記プルトップ部がプルリングを有し、当該プルリングがその全周にわたって樹脂流れによる配向性を持たない合成樹脂で構成されており、
前記引きちぎり部の破断強さ（Ａ）に対する前記プルリングの破断強さ（Ｂ）の比（Ｂ／Ａ）が１を超えるとともに、
前記蓋体部と前記栓体との間の接合面の破断強さ（Ｃ）に対する前記プルリングの破断強さ（Ｂ）の比（Ｂ／Ｃ）が１を超えていることを特徴とする医療ボトル用プルトップ型キャップ。
【請求項７】
請求項１乃至４記載のキャップで構成される食品ボトル用キャップ。
【発明の詳細な説明】
【０００１】
【発明の属する技術分野】
本発明は、輸液用ボトル等の医療ボトル、飲料用ボトル等の食品ボトルなど、各種の容器用キャップとして用いられる合成樹脂製のプルトップ型キャップに関する。
【０００２】
【従来の技術】
従来より、医療ボトルや食品ボトルなどの容器用のキャップとして、各種の合成樹脂製キャップが提供されている。特に、開封を容易にするためにプルトップを備えたキャップが提供されており、中でも、輸液用ボトル等の医療ボトルに適用されるプルトップ型キャップは公知である（例えば、特許文献１）。
【０００３】
【特許文献１】
特公平６−４５２０６号公報（第２図）
【０００４】
【発明が解決しようとする課題】
しかし、リング状のプルトップ、すなわちプルリングを備えた合成樹脂製のキャップは、当該プルリングを引っ張って開封する際に、当該プルリングの部分で破断し切れてしまうことが多々ある。この場合、切れたプルリング片を無理やり引っ張って開封を試みるが、およそ開封困難である。その例として、調味料や飲料ボトルなど食品ボトル用キャップの場合、よく知られたことである。輸液用ボトル等の医療ボトルに適用されるプルトップ型キャップでも同様であるが、特に医療用に用いる容器用キャップなどでは、かかるプルリングの破断乃至切断現象は安全性、緊急性を特に要求する分野でもあるため好ましくない。
【０００５】
他方、プルリングの破断乃至切断を防止するため、プルリングの樹脂の厚みや材質を変えて強度を持たせることも考えられるが、できれば汎用樹脂でも適用でき、厚みにも制限を受けないプルトップ型キャップが望ましい。
【０００６】
本発明の目的は、プルリングを引っ張ってもプルリングが容易に破断し切断されないプルトップ型キャップを提供するところにある。
【０００７】
【課題を解決するための手段】
上記目的を達成するため鋭意検討した結果、本発明は、枠体部と、当該枠体部に引きちぎり部を介して接合されている蓋体部と、少なくとも当該蓋体部に接合されているプルトップ部を有する合成樹脂製のキャップにおいて、
前記プルトップ部がプルリングを有し、当該プルリングがその全周にわたって樹脂流れによる配向性を持たない合成樹脂で構成されており、
前記引きちぎり部の破断強さ（Ａ）に対する前記プルリングの破断強さ（Ｂ）の比（Ｂ／Ａ）が１を超えていることを特徴とするプルトップ型キャップを採用した。
【０００８】
プルリング部は、通常、キャップの枠体とともに、射出成形によって成形している。その際、射出成形の過程で流れる溶融樹脂（湯）がプルリング成形型の円環状のキャビティー内を両側から流れるが、当該流れの各先端はその背後の流れの部分に比して温度低下が生じ、いわば皮膜が形成された状態でキャビティー内を流れ、そして両方の流れが１つに結合しリングが形成される。従って、成形されたプルリングは、当該樹脂の流れに応じた配向性を持ちながらも、上記２つの樹脂流れの合流点（最後に充填された部分）は皮膜部分を含みながらその流れが拡散されて強度的に非常に弱い接合点となり、歪が発生している。本発明は、プルリングの破断乃至切断の原因を、樹脂流れに配向性がある部分（引張り方向に強い部分）と、樹脂流れが拡散されている部分（引張り方向に弱い部分）が両方存在していることが原因していると考え、前記構成を採用することにより、プルリングが破断し切断されることなく、容易に開封できることを見出したものである。
これにより、プルリングを引っ張っても当該プルリングが容易に破断し切断されないプルトップ型キャップとすることができる。
【０００９】
【発明の実施の形態】
図１は本発明に係るキャップの一実施形態を示す断面図、図２は同斜視図である。図において、１は枠体部、２は当該枠体部の開口穴１ａの縁部に接合されている蓋体部、３は当該蓋体部に接合されているプルトップ部である。
【００１０】
本実施形態では、枠体部１と蓋体部２とは、異なる材質の合成樹脂で構成されており、前記枠体部１の開口穴１ａの縁部と前記蓋体部２の周縁部２ａの下縁部とが擬似融着で接合されており、これにより引きちぎり部４を構成している。プルトップ部３は、横に円環状に伸びるプルリング３ａと、縦に柱状に伸びるプルトップ片３ｂからなり、前記プルトップ片３ｂの上端が前記プルリング３ａの一側端縁と接合され、当該プルトップ片３ｂの下端が前記蓋体部２の一側端と共に、これに続く前記枠体部１の開口穴１ａの縁部の両方に跨って接合されている。
【００１１】
またこの実施形態のプルリングは、その全周にわたって樹脂流れによる配向性を持たない合成樹脂で構成されており、前記引きちぎり部４の破断強さ（Ａ）に対する前記プルリングの破断強さ（Ｂ）の比（Ｂ／Ａ）が１を超えている。
【００１２】
従って、この実施形態のキャップを用いて開封する場合は、前記プルリングがその全周にわたって樹脂流れによる配向性を持たない合成樹脂で構成されており、かつ前記引きちぎり部の破断強さ（Ａ）に対する前記プルリングの破断強さ（Ｂ）の比（Ｂ／Ａ）が１を超えているため、プルリングに指を挿入し開封方向にプルリングを引っ張っても、プルリングが破断し切断されることなく、擬似溶着されている前記引きちぎり部４において前記蓋体部２を前記枠体部１から容易に剥離することができる。
【００１３】
図３は本発明に係るキャップについて医療ボトル用キャップとして適用した場合の他実施形態を示す概略断面図である。図３において、５は枠体部、６は枠体部５の内側の上部開口部７をシールする蓋体部（封止体）である。８は蓋体部６に取り付けられたプルトップ部である。このプルトップ部８も、前記図１及び図２に示すキャップと同様、横に円環状に伸びるプルリング８ａと、縦に柱状に伸びるプルトップ片８ｂからなり、前記プルトップ片８ｂの上端が前記プルリング８ａの一側端縁と接合され、当該プルトップ片８ｂの下端が前記蓋体部６の一側端に接合されている。前記プルリング８ａは、全周にわたって樹脂流れによる配向性を持たない合成樹脂で構成されている。また、９は枠体部５の内部に保持されたポリスチレン系熱可塑性エラストマー樹脂からなる針刺し用の栓体である。
【００１４】
この実施形態のキャップは、枠体部５がポリオレフィン系熱可塑性樹脂からなり、蓋体部６及びプルトップ部８がポリエーテル系熱可塑性エラストマー樹脂とポリエステル系熱可塑性エラストマー樹脂とのブレンド組成の熱可塑性エラストマー樹脂で構成されている。そして、上記蓋体部６は、上記枠体部５内側の上部開口部７の周端縁に融着されて引きちぎり部４１が構成されており、その融着の破断強さが１．５〜７（Ｎ／２５ｍｍ）の範囲内にある。また、この実施形態のキャップは、上記蓋体部６は、ポリスチレン系熱可塑性エラストマー樹脂からなる針刺し用の前記栓体９にも融着されており、その破断強さ（融着強度）が１．５〜７（Ｎ／２５ｍｍ）の範囲内にある。そして、前記引きちぎり部の破断強さ（Ａ）に対する前記プルリングの破断強さ（Ｂ）の比（Ｂ／Ａ）が１を超え、さらに前記栓体９の破断強さ（Ｃ）に対する前記プルリングの破断強さ（Ｂ）の比（Ｂ／Ｃ）も１を超えている。
【００１５】
また、この実施形態のキャップは、図３に示す様に、枠体部５の上部周縁部５ａだけでなく、これに段差状態で続く内周壁５ｂに、前記蓋体部６が接合する構造である。
【００１６】
上記構成によって、前記蓋体部６は、枠体部５に一体的に接合されていながら、プルリング８ａを引っ張ればほとんど力をかけずに容易に蓋体部６を、枠体部５の上部周縁部５ａから内周壁５ｂを経てポリスチレン系熱可塑性エラストマー樹脂の栓体９に至るまで、それぞれの部位から連続して引き離すことができる。輸液容器用のキャップの場合は、次にこの引き離された蓋体部６によって枠体部５の内側の上部開口部７に現れた栓体９に輸液針の針刺しを行うことになる。
【００１７】
なお、本発明は上記実施形態に限定されるものではない。例えば、上記実施形態では、針刺し用の栓体９がポリスチレン系熱可塑性エラストマー樹脂で構成されているが、天然又は合成のゴムであっても差し支えない。なお、ポリスチレン系以外の熱可塑性エラストマー樹脂や天然又は合成のゴムで構成される栓体の場合は、前記実施形態とは異なり、蓋体部６をこの栓体９に接合一体化しない構造を採用することもできる。また、前記実施形態の様な、蓋体部６と枠体部５との接合構造ではなく、例えば、図４に示す様に、蓋体部６１を枠体部５の上部周縁部５ａから外周壁５ｃにわたって被せる状態で融着させて引きちぎり部４１を構成する接合構造とすることもできる。また、図５に示すように、蓋体部６２を枠体部５の上部内周壁５に融着させる接合構造とし、引きちぎり部４２を当該上部内周壁５と蓋体部６２の側壁との間の接合面で構成することもできる。なお、上記いずれの図面のキャップも、前記プルリングを全周にわたって樹脂流れによる配向性を持たない合成樹脂で構成している。
【００１８】
本発明において、前記プルリングを全周にわたって樹脂流れによる配向性を持たない合成樹脂で構成するには、例えばプルリング部又はプルトップ部又はプルトップ部付き蓋体部をコンプレッション成形によって成形し、枠体部その他の部分を射出成形によって成形することができる。あるいはまた、キャップ全体をコンプレッション成形によって成形することもできる。
【００１９】
なお、前記擬似溶着の引きちぎり部４１の接合面や、蓋体部６と栓体９との接合面の破断強さは、全周にわたって樹脂流れによる配向性を持たない合成樹脂製のプルリングとの関係で、１．５〜７（Ｎ／２５ｍｍ）であることが好ましいことは既述した通りである。なおまた、前記引きちぎり部は、擬似溶着の接合で構成されているが、本発明はこれに限定されず、これに代えて前記キャップ本体部と前記プルトップ部との間に切り欠き部を設ける構成でも差し支えない。さらにまた、前記構成は、医療バッグ等の医療ボトルのキャップとして適用できるが、この場合、針刺し用として、前記枠体部にゴム又はエラストマーからなる栓体を嵌入する構成を採用することもできる。また、医療用に限定されず、飲料ボトルのキャップなど、食品ボトル用キャップとしても好適に用いることができる。
【００２０】
なお、本発明におけるプルリングの破断強さとは、キャップ成型品の蓋体部を固定し、蓋体部と平行な方向にプルリングの端部をプルトップ部の開放端側から速度２００ｍｍ／ｍｉｎで引っ張ってプルリングが破壊される強度（単位：Ｎ／２５ｍｍ）の測定値をプルリングの破断強さ（Ｂ）として示している。また、本発明における引きちぎり部の破断強さや、蓋体部６と栓体９との接合面の破断強さとは、同一キャップ成型品の枠体部を固定し、蓋体部と平行な方向にプルリング全体をプルトップ部の開放端側から速度２００ｍｍ／ｍｉｎで引っ張って、前記引きちぎり部が引きちぎられる強度の測定値を引きちぎり部の破断強さ（Ａ）として示している。同様にして、前記蓋体部と栓体間の接合面が引きちぎられる強度の測定値を引きちぎり部の破断強さ（Ｃ）として示している。
【００２１】
【発明の効果】
以上の通り、本発明は、プルトップ部がプルリングを有し、当該プルリングがその全周にわたって樹脂流れによる配向性を持たない合成樹脂で構成されており、前記引きちぎり部の破断強さ（Ａ）に対する前記プルリングの破断強さ（Ｂ）の比（Ｂ／Ａ）が１を超えていることを特徴とするプルトップ型キャップであるため、プルリングを引っ張っても当該プルリングが容易に破断し切断されないプルトップ型キャップとすることができる。
【図面の簡単な説明】
【図１】本発明に係るキャップの一実施形態を示す断面図である。
【図２】同斜視図である。
【図３】本発明に係るキャップについて医療ボトル用キャップとして適用した場合の他実施形態を示す概略断面図である。
【図４】同医療ボトル用キャップにおける他実施形態を示す概略断面図である。
【図５】同医療ボトル用キャップにおけるさらなる他実施形態を示す概略断面図である。
【符号の説明】
１    枠体部
１ａ  開口穴
２    蓋体部
２ａ  周縁部
３    プルトップ部
３ａ  プルリング
３ｂ  プルトップ片
４    引きちぎり部
４１  引きちぎり部
５    枠体部
５ａ  上部周縁部
５ｂ  内周壁
５ｃ  外周壁
６    蓋体部
６１  蓋体部
６２  蓋体部
７    上部開口部
８    プルトップ部
８ａ  プルリング
８ｂ  プルトップ片
９    栓体
【図１】
2004338724.tif 000003
【図２】
2004338724.tif 000004
【図３】
2004338724.tif 000005
【図４】
2004338724.tif 000006
【図５】
2004338724.tif 000007